(57)【要約】【課題】一方のデバイスのメモリに格納された情報の複製を他方のデバイスにより簡単に格納することを可能にした情報処理システムを提供する。【解決手段】第１の情報処理装置は、第２の情報処理装置が接続される第１の接続部、情報が格納された第１の記憶部、および、第１の接続部に第２の情報処理装置が接続された状態で電源が投入されると、第１の記憶部に格納された情報の複製を第２の情報処理装置に送信する第１の制御部を有し、第２の情報処理装置は、第１の情報処理装置が接続される第２の接続部、情報を格納するための第２の記憶部、および、第２の接続部に第１の情報処理装置が接続された状態で電源が投入された後、第１の情報処理装置から第１の記憶部に格納された情報の複製を受信すると、複製を第２の記憶部に格納する第２の制御部を有する。【選択図】図１
2010061199.tif 000002
【特許請求の範囲】
【請求項１】
第１および第２の情報処理装置を有する情報処理システムであって、
前記第１の情報処理装置は、
前記第２の情報処理装置が接続される第１の接続部、情報が格納された第１の記憶部、および、前記第１の接続部に前記第２の情報処理装置が接続された状態で電源が投入されると、前記第１の記憶部に格納された情報の複製を前記第２の情報処理装置に送信する複製送信処理を行う第１の制御部を有し、
前記第２の情報処理装置は、
前記第１の情報処理装置が接続される第２の接続部、情報を格納するための第２の記憶部、および、前記第２の接続部に前記第１の情報処理装置が接続された状態で電源が投入された後、前記第１の情報処理装置から前記第１の記憶部に格納された情報の複製を受信すると、該複製を前記第２の記憶部に格納する第２の制御部を有する、情報処理システム。
【請求項２】
前記第１の記憶部に、前記第１の情報処理装置の識別子である第１の固有情報と前記第２の情報処理装置の識別子である第２の固有情報が予め登録され、
前記第２の記憶部に、前記第２の固有情報が予め登録され、
前記第１の制御部は、
電源が投入されると、固有情報を求める旨の信号である固有情報要求信号を前記第２の情報処理装置に送信し、該第２の情報処理装置から前記第２の固有情報を受信すると、受信した第２の固有情報が前記第１の記憶部に登録されているか否かを判定し、登録されていることを確認すると、前記複製送信処理を行い、
前記第２の制御部は、
電源が投入された後、前記第１の情報処理装置から前記固有情報要求信号を受信すると、前記第２の記憶部から前記第２の固有情報を読み出して前記第１の情報処理装置に送信する、請求項１記載の情報処理システム。
【請求項３】
他のデバイスと接続するための第１および第２の接続部と、
情報が予め格納され、または、前記他のデバイスから受信する情報を格納するための記憶部と、
前記第１の接続部に前記他のデバイスが接続された状態で電源が投入されると、前記記憶部に格納された情報の複製を前記第１の接続部を介して該他のデバイスに送信する複製送信処理を行い、前記第２の接続部に前記他のデバイスが接続された状態で電源が投入された後、該他のデバイスから情報を受信すると、該情報を前記記憶部に格納する制御部と、
を有する情報処理装置。
【請求項４】
前記記憶部に、自装置の識別子である第１の固有情報と前記他のデバイスの識別子である第２の固有情報が予め登録され、
前記制御部は、
電源が投入されると、固有情報を求める旨の信号である固有情報要求信号を前記他のデバイスに送信し、該他のデバイスから前記第２の固有情報を受信すると、受信した第２の固有情報が前記記憶部に登録されているか否かを判定し、登録されていることを確認すると、前記複製送信処理を行う、請求項３記載の情報処理装置。
【請求項５】
前記記憶部に、自装置の識別子である固有情報が予め登録され、
前記制御部は、
電源が投入された後、固有情報を求める旨の信号である固有情報要求信号を前記他のデバイスから受信すると、前記記憶部から前記固有情報を読み出して前記他のデバイスに送信する、請求項３記載の情報処理装置。
【請求項６】
情報処理装置と接続するためのコネクタと、
情報を格納するための記憶部と、
前記記憶部に前記情報が予め格納された状態で、前記コネクタに前記情報処理装置が接続されると、前記記憶部に格納された情報の複製を前記コネクタを介して前記情報処理装置に送信し、前記記憶部に前記情報が格納されていない状態で、前記コネクタに前記情報処理装置が接続され、該情報処理装置から情報を受信すると、該情報を前記記憶部に格納する通信部と、
を有するメモリデバイス。
【請求項７】
記憶部を有する情報処理装置による情報処理方法であって、
第１の接続部に他のデバイスが接続された状態で電源が投入されると、前記記憶部に格納された情報の複製を前記第１の接続部を介して該他のデバイスに送信する複製送信処理を行い、
前記第１の接続部とは異なる第２の接続部に前記他のデバイスが接続された状態で電源が投入された後、該他のデバイスから情報を受信すると、該情報を前記記憶部に格納する、情報処理方法。
【請求項８】
前記記憶部に、自装置の識別子である第１の固有情報と前記他のデバイスの識別子である第２の固有情報を予め登録し、
電源が投入されると、固有情報を求める旨の信号である固有情報要求信号を前記他のデバイスに送信し、
前記他のデバイスから前記第２の固有情報を受信すると、受信した第２の固有情報が前記記憶部に登録されているか否かを判定し、登録されていることを確認すると、前記複製送信処理を行う、請求項７記載の情報処理方法。
【請求項９】
前記記憶部に、自装置の識別子である固有情報を予め登録し、
電源が投入された後、固有情報を求める旨の信号である固有情報要求信号を前記他のデバイスから受信すると、前記記憶部から前記固有情報を読み出して前記他のデバイスに送信する、請求項７記載の情報処理方法。
【請求項１０】
コンピュータに実行させるためのプログラムであって、
第１の接続部に他のデバイスが接続された状態で電源が投入されると、記憶部に格納された情報の複製を前記第１の接続部を介して該他のデバイスに送信する複製送信処理を行い、
前記第１の接続部とは異なる第２の接続部に前記他のデバイスが接続された状態で電源が投入された後、該他のデバイスから情報を受信すると、該情報を前記記憶部に格納する処理を前記コンピュータに実行させるためのプログラム。
【請求項１１】
前記記憶部に、自装置の識別子である第１の固有情報と前記他のデバイスの識別子である第２の固有情報を予め登録し、
電源が投入されると、固有情報を求める旨の信号である固有情報要求信号を前記他のデバイスに送信し、
前記他のデバイスから前記第２の固有情報を受信すると、受信した第２の固有情報が前記記憶部に登録されているか否かを判定し、登録されていることを確認すると、前記複製送信処理を行う、請求項１０記載のプログラム。
【請求項１２】
前記記憶部に、自装置の識別子である固有情報を予め登録し、
電源が投入された後、固有情報を求める旨の信号である固有情報要求信号を前記他のデバイスから受信すると、前記記憶部から前記固有情報を読み出して前記他のデバイスに送信する処理をさらに有する請求項１０記載のプログラム。
【発明の詳細な説明】
【技術分野】
【０００１】
本発明は、情報処理システム、情報処理装置、メモリデバイス、情報処理方法、およびその方法をコンピュータに実行させるためのプログラムに関する。
【背景技術】
【０００２】
情報処理端末に格納されたデータを複製して他の情報処理端末に移す際の方法として、２つの端末をケーブルで接続し、ユーザが一方の情報処理端末を操作してデータの複製を作成し、その複製を他方の情報処理端末に送信させる方法がある。
【０００３】
複製対象となるデータが多ければ、ＨＤＤ（Hard Disk Drive）ユニットを備えたＵＳＢ（Universal Serial Bus）ストレージ機器を用いる方法が有効である。ＵＳＢストレージ機器の一例が特許文献１に開示されている。ユーザは、情報処理端末に格納された情報の複製をストレージ機器に一旦格納し、複製した情報をストレージ機器から他の情報処理端末に移せばよい。
【特許文献１】特開２００４−３６２０２４号公報
【発明の開示】
【発明が解決しようとする課題】
【０００４】
情報処理端末のハードディスクに格納されたＯＳ（Operating System）やアプリケーションソフトウェアなどのプログラムの動作中では、データによっては複製できないものがある。このようなデータの複製を他の端末に格納する場合、ユーザは、複製不可となるデータを同じ端末内で別のファイル名をつけてその複製を作成して一旦格納し、接続先の端末にその複製を移動させた後、本来のファイル名に変更する手順を行う。
【０００５】
しかし、不特定のプログラムにおいてどの情報が複製不可となるかは見た目では判断できず、上記方法での複製が必要となるデータを検索する処理が別途必要となる。そのため、ユーザは、ファイル検索、ファイル名の変更などの複雑な手順を行わなければならないという問題がある。
【０００６】
また、情報処理端末のＯＳを起動させる前に、多量のデータの複製を他の情報処理端末に移そうとすると、特許文献１に開示されたストレージ機器のような専用の装置が必要になるという問題がある。
【０００７】
本発明は上述したような技術が有する問題点を解決するためになされたものであり、一方のデバイスのメモリに格納された情報の複製を他方のデバイスにより簡単に格納することを可能にした情報処理システム、情報処理装置、メモリデバイス、情報処理方法、およびその方法をコンピュータに実行させるためのプログラムを提供することを目的とする。
【課題を解決するための手段】
【０００８】
上記目的を達成するための本発明の情報処理システムは、第１および第２の情報処理装置を有する情報処理システムであって、
前記第１の情報処理装置は、
前記第２の情報処理装置が接続される第１の接続部、情報が格納された第１の記憶部、および、前記第１の接続部に前記第２の情報処理装置が接続された状態で電源が投入されると、前記第１の記憶部に格納された情報の複製を前記第２の情報処理装置に送信する複製送信処理を行う第１の制御部を有し、
前記第２の情報処理装置は、
前記第１の情報処理装置が接続される第２の接続部、情報を格納するための第２の記憶部、および、前記第２の接続部に前記第１の情報処理装置が接続された状態で電源が投入された後、前記第１の情報処理装置から前記第１の記憶部に格納された情報の複製を受信すると、該複製を前記第２の記憶部に格納する第２の制御部を有する。
【０００９】
また、本発明の情報処理装置は、
他のデバイスと接続するための第１および第２の接続部と、
情報が予め格納され、または、前記他のデバイスから受信する情報を格納するための記憶部と、
前記第１の接続部に前記他のデバイスが接続された状態で電源が投入されると、前記記憶部に格納された情報の複製を前記第１の接続部を介して該他のデバイスに送信する複製送信処理を行い、前記第２の接続部に前記他のデバイスが接続された状態で電源が投入された後、該他のデバイスから情報を受信すると、該情報を前記記憶部に格納する制御部と、
を有する構成である。
【００１０】
また、本発明のメモリデバイスは、
情報処理装置と接続するためのコネクタと、
情報を格納するための記憶部と、
前記記憶部に前記情報が予め格納された状態で、前記コネクタに前記情報処理装置が接続されると、前記記憶部に格納された情報の複製を前記コネクタを介して前記情報処理装置に送信し、前記記憶部に前記情報が格納されていない状態で、前記コネクタに前記情報処理装置が接続され、該情報処理装置から情報を受信すると、該情報を前記記憶部に格納する通信部と、
を有する構成である。
【００１１】
また、本発明の情報処理方法は、記憶部を有する情報処理装置による情報処理方法であって、
第１の接続部に他のデバイスが接続された状態で電源が投入されると、前記記憶部に格納された情報の複製を前記第１の接続部を介して該他のデバイスに送信する複製送信処理を行い、
前記第１の接続部とは異なる第２の接続部に前記他のデバイスが接続された状態で電源が投入された後、該他のデバイスから情報を受信すると、該情報を前記記憶部に格納するものである。
【００１２】
さらに、本発明のプログラムは、コンピュータに実行させるためのプログラムであって、
第１の接続部に他のデバイスが接続された状態で電源が投入されると、記憶部に格納された情報の複製を前記第１の接続部を介して該他のデバイスに送信する複製送信処理を行い、
前記第１の接続部とは異なる第２の接続部に前記他のデバイスが接続された状態で電源が投入された後、該他のデバイスから情報を受信すると、該情報を前記記憶部に格納する処理を前記コンピュータに実行させるものである。
【発明の効果】
【００１３】
本実施形態によれば、端末同士を接続して電源を入れるだけで、一方の端末に格納された情報の複製を他方の端末に格納することができ、ユーザは複雑な手順を行う必要がない。
【発明を実施するための最良の形態】
【００１４】
（第１の実施形態）
本実施形態の情報処理システムの構成を説明する。図１は本実施形態の情報処理システムの一構成例を示す図である。
【００１５】
本実施形態の情報処理システムは、図１に示すように、情報処理端末１および情報処理端末２を有する。情報処理端末１、２は、パーソナルコンピュータ（以下、ＰＣと称する）などの情報処理装置である。これら２つの端末は同等の構成および機能を有している。２つの端末は、ＵＳＢケーブル３で接続される。本実施形態では、情報処理端末１のホスト接続部１７と情報処理端末２のクライアント接続部１６とがＵＳＢケーブル３で接続されている場合を示す。この接続により、情報処理端末１がホスト側であり、情報処理端末２がクライアント側である。
【００１６】
図２は本実施形態の情報処理端末の一構成例を示すブロック図である。情報処理端末１および情報処理端末２は同等な構成であるため、ここでは、情報処理端末１の構成を説明する。
【００１７】
図２に示すように、情報処理端末１は、各種データを格納するための記憶部１４と、制御部１０と、他の端末と接続するためのコネクタであるクライアント接続部１６およびホスト接続部１７とを有する。制御部１０と記憶部１４はバス１８で接続されている。制御部１０は、プログラム制御により動作するＣＰＵ（Central Processing Unit）１１と、電源投入時に動作するプログラムである起動プログラムが格納された不揮発メモリ１３と、記憶部１４および不揮発メモリ１３を制御するメモリ制御部１２と、ＵＳＢ機能を制御するＵＳＢ制御部１５とを有する。
【００１８】
なお、本発明の特徴は、ＯＳ起動前の処理に関連しているため、一時的にデータを保存するためのＲＡＭ（Random Access Memory）および情報を表示するためのディスプレイ等の構成を図に示すこと、およびその説明を省略する。
【００１９】
起動プログラムには、ＯＳの起動やハードウェア設定のためのＢＩＯＳ（Basic Input Output System）に、本実施形態に関連する、データ複製のための情報処理の内容が追加して記述されている。
【００２０】
記憶部１４には、ＯＳが格納され、情報処理端末毎に異なる識別子の情報である端末固有情報が登録されている。記憶部１４に登録されている端末固有情報には、自装置の端末固有情報と、データの送受信が許可された情報処理端末の端末固有情報とがある。本実施形態では、情報処理端末１および情報処理端末２は互いに情報を送受信することが許可された端末であるものとし、それぞれの記憶部１４には情報処理端末１、２の両方の端末固有情報が登録されている。また、記憶部１４に、アプリケーションソフトウェアと、そのソフトウェアに関連するデータが格納されていてもよい。
【００２１】
ホスト接続部１７側にＵＳＢケーブル３が接続されていると、情報処理端末１は、記憶部１４に格納したデータおよびプログラム等の情報を接続先の端末に送信する情報送信元になる。反対に、クライアント接続部１６側にＵＳＢケーブル３が接続されていると、情報処理端末１は、ＵＳＢケーブル３を介して他の端末から受信する情報を格納する端末となることから、他の端末から見て情報送信先となる。
【００２２】
ＵＳＢ制御部１５は、ホスト接続部１７またはクライアント接続部１６にＵＳＢケーブル３を介して他の端末が接続されていることを認識すると、接続先の端末とＵＳＢデバイス情報をやり取りし、ＵＳＢ規格で定められた手順にしたがって、接続先の端末との情報の送受信が可能な状態にする。ＵＳＢデバイス情報には、一般的なＵＳＢインターフェースで規定されているベンダ名およびＵＳＢ機器名など、ＵＳＢを使用した通信に必要な情報が含まれている。ＵＳＢデバイス情報は、ＵＳＢ制御部１５内のメモリ（不図示）に格納されている。
【００２３】
ＣＰＵ１１は、電源投入時に不揮発メモリ１３から起動プログラムを読み出し、ＵＳＢ制御部１５を起動させ、他の端末が接続されているか否かをＵＳＢ制御部１５に問い合わせる。他の端末が接続されていない場合、ＣＰＵ１１は、起動プログラムの手順にしたがってＯＳの起動を実行する。これにより、コンピュータ処理の制御権が起動プログラムからＯＳに引き継がれる。
【００２４】
一方、ホスト接続部１７に他の端末が接続されている場合、ＣＰＵ１１は、相手先が情報の送受信を許可された端末であるか否かを判定し、相手先が許可された端末であると、記憶部１４に格納されたデータおよびプログラムを含む情報の全ての複製をＵＳＢケーブル３を介して相手先に送信する。クライアント接続部１６に他の端末が接続されている場合、ＣＰＵ１１は、相手先からＵＳＢケーブル３を介して受信する情報を記憶部１４に格納する。
【００２５】
次に、本実施形態の情報処理システムの動作手順を説明する。ここでは、図１に示したように、ホスト側の情報処理端末１の記憶部１４に格納された情報の複製をクライアント側の情報処理端末２に送信する場合とする。
【００２６】
図３は本実施形態の情報処理端末の動作手順を示すフローチャートである。図３のフローチャートは、情報処理端末１、２の両方の場合を示す。
【００２７】
ユーザにより情報処理端末２に電源が投入されると、ＣＰＵ１１はメモリ制御部１２で制御された不揮発メモリ１３より起動プログラムの読み込みを開始する。ＣＰＵ１１は、起動プログラムの手順にしたがって、ＵＳＢ制御部１５を起動させる。ＵＳＢ制御部１５は、ホスト接続部１７またはクライアント接続部１６に他の端末が接続されていることを認識すると、他の端末とＵＳＢデバイス情報をやり取りし、情報の送受信が可能な状態になる。その後、ＣＰＵ１１は、起動プログラムの手順にしたがって次のように動作する。
【００２８】
ＣＰＵ１１はＵＳＢ制御部１５を介してクライアント接続部１６およびホスト接続部１７のいずれかにＵＳＢケーブル３を介して他の端末が接続されているか否かを判定する（ステップ１０１）。いずれの接続部にも端末が接続されていない場合、ＣＰＵ１１は、記憶部１４に格納されたＯＳを読み込み、通常動作を行う（ステップ１０２）。
【００２９】
また、ユーザにより情報処理端末１に電源が投入されると、情報処理端末２と同様に、ＣＰＵ１１は接続部に他の端末が接続されているか否かを判定し（ステップ１０１）、端末が接続されていなければ、ＯＳを起動する（ステップ１０２）。
【００３０】
情報処理端末２のＣＰＵ１１は、ステップ１０１で他の端末が接続されている場合、いずれの接続部に端末が接続されているかを調べる（ステップ１０３）。本実施形態では、図１に示したように、情報処理端末２のクライアント接続部１６にＵＳＢケーブル３を介して情報処理端末１が接続されている。そのため、情報処理端末２のＣＰＵ１１は、ステップ１０３で他の端末がクライアント接続部１６に接続されていることを認識すると、情報処理端末１に対して、端末固有情報を要求する旨の信号である固有情報要求信号を送信する（ステップ１０４）。
【００３１】
一方、図１に示したように、情報処理端末１のホスト接続部１７にはＵＳＢケーブル３を介して情報処理端末２が接続されているため、情報処理端末１のＣＰＵ１１は、ステップ１０３でホスト接続部１７に他の端末が接続されていることを認識し、待機状態になる。そして、情報処理端末１のＣＰＵ１１は、情報処理端末２から固有情報要求信号を受信すると、記憶部１４から自装置の端末固有情報を読み出してホスト接続部１７およびＵＳＢケーブル３を介して情報処理端末２に送信する（ステップ１０８）。
【００３２】
情報処理端末２のＣＰＵ１１は、情報処理端末１から端末固有情報を受信すると（ステップ１０５）、記憶部１４に登録された端末固有情報のうち、情報処理端末１から受信した端末固有情報と一致するものがあるか否かを判定する（ステップ１０６）。受信した端末固有情報と一致するものが記憶部１４内にある場合、情報処理端末２のＣＰＵ１１は、記憶部１４に格納され、データおよびプログラムを含む情報の全ての複製を情報処理端末１に送信する（ステップ１０７）。情報処理端末１のＣＰＵ１１は、情報処理端末２から受信する情報を記憶部１４に格納する（ステップ１０９）。
【００３３】
なお、ステップ１０６で、受信した端末固有情報と一致するものが記憶部１４内にない場合、ＣＰＵ１１は、情報処理端末１への情報送信の処理を行わず、ＯＳを起動する（ステップ１０２）。情報処理端末１のＣＰＵ１１は、端末固有情報を情報処理端末２に送信した時から一定時間経っても情報処理端末２から情報を受信しなければ、ＯＳを起動してもよい。情報処理端末２の記憶部１４の情報の複製が情報処理端末１の記憶部１４に格納された後、情報処理端末１、２はＯＳを起動してもよい。
【００３４】
本実施形態によれば、第１の情報処理端末に格納された情報の複製がＯＳの起動前に第２の情報処理端末に格納される。
【００３５】
背景技術で述べたように、情報処理端末のＯＳが起動した後では、複製できないファイルもあるため、情報処理端末に格納された情報の全ての複製を他の情報処理端末に格納することができないことがあるが、本実施形態では、２つの情報処理端末をケーブルでつないで電源を入れるだけで、一方の情報処理端末に格納された全ての情報の複製を他の情報処理端末に格納できる。そのため、ユーザは複雑な手順を行う必要がない。
【００３６】
（第２の実施形態）
第１の実施形態では、一方の情報処理端末に格納された情報の複製を他の情報処理端末に格納する場合を説明した。本実施形態は、複製した情報の格納先となるデバイスを情報処理端末の代わりにメモリデバイスにしたものである。
【００３７】
本実施形態のＵＳＢメモリデバイスの構成を説明する。図４は本実施形態のメモリデバイスの一構成例を示す図である。
【００３８】
図４に示すように、ＵＳＢメモリデバイス３０は、情報を格納するための記憶部３１と、情報処理端末と接続するためのコネクタ３２と、情報を送受信するための通信部３３とを有する。通信部３３には、図２に示したＵＳＢ制御部１５と、メモリデバイスの識別子であるデバイス固有情報が格納されたメモリ３４とが設けられている。通信部３３は、記憶部３１に情報が格納されていれば、その情報を接続先に送信し、記憶部３１に情報が格納されていなければ、接続先から受信する情報を記憶部３１に格納する。以下では、端末固有情報およびデバイス固有情報を含めて固有情報と称する。通信部３３には、所定の動作を実行するための専用回路（不図示）が設けられているが、メモリ３４にプログラムが予め格納され、そのプログラムにしたがって処理を実行するＣＰＵ（不図示）が設けられていてもよい。
【００３９】
次に、図４に示したＵＳＢメモリデバイス３０の動作手順を説明する。ここでは、情報処理端末１の記憶部１４に格納された情報の複製をＵＳＢメモリデバイス３０に格納する場合とする。
【００４０】
ＵＳＢメモリデバイス３０のコネクタ３２が情報処理端末１のホスト接続部１７に接続されると、第１の実施形態で説明したように、両方のデバイスのＵＳＢ制御部１５により情報の送受信が可能な状態になる。続いて、通信部３３がメモリ３４から固有情報を読み出して情報処理端末１に送信する。これ以降の処理は、第１の実施形態と同様であるため、詳細な説明を省略する。
【００４１】
また、上述の処理とは反対に、ＵＳＢメモリデバイス３０の記憶部３１に格納された情報の複製を情報処理端末に格納する場合、メモリ３４には情報処理端末を認証するための固有情報が予め格納され、通信部３３は、接続先の情報処理端末から受信する固有情報とメモリ３４に登録された固有情報とを比較し、接続先の端末が情報格納先となる正規のデバイスであるか否かを判定する。
【００４２】
本実施形態では、持ち運びに便利なメモリデバイスに情報処理端末の情報を格納したり、反対に、メモリデバイスに格納された情報を情報処理端末に格納したりすることが可能となる。複製対象の情報が格納されたＰＣとその情報の格納先となるＰＣとの距離が離れている場合、ユーザは、メモリデバイスに一方のＰＣの情報の複製を格納させた後、メモリデバイスを他方のＰＣに接続してその情報を格納することができる。ユーザは、メモリデバイスに比べて重量の大きいＰＣを持ち運ばなくても、また、長いケーブルを準備して２つのＰＣを接続しなくても済み、ユーザの労力が軽減する。
【００４３】
なお、上述の実施形態では、ＵＳＢ規格のコネクタおよびケーブルの場合で説明したが、他の規格であってもよい。
【００４４】
また、接続先のデバイスを認証するために、一方のデバイスから他方のデバイスに固有情報を送信し、固有情報を受信したデバイスは認証の判定を行っているが、これらの認証処理を行わなくてもよい。両方のデバイスの持ち主が同じであれば、必ずしも認証処理を行わせる必要がないからである。
【００４５】
また、複製対象の情報は、情報処理端末の記憶部１４に格納されている情報であればよく、データとプログラムの両方の場合に限らず、データおよびプログラムのうち少なくともいずれか一方だけであってもよい。
【００４６】
本発明を、同一の情報を格納した端末が複数台稼動するシステムに適用することが可能である。このようなシステムにおいて、ホストとクライアントの役割を端末毎に決めている場合、ホストとなる端末はホスト接続部１７を備えているが、クライアント接続部を備えていなくてもよい。反対に、クライアントとなる端末はクライアント接続部１６を備えているが、ホスト接続部１７を備えていなくてもよい。
【００４７】
また、不具合の生じた情報処理端末に格納された情報を新規に購入した情報処理端末に移す際に、本発明を適用することが可能となる。ユーザは、２つの端末をケーブルで接続してそれぞれの電源を入れるだけで元の端末の記憶部に格納された情報を新しい端末に移動させることができるので、データまたはプログラム毎に複製を作成して移動させる操作を行う場合に比べて、ユーザの負担が軽減する。
【図面の簡単な説明】
【００４８】
【図１】第１の実施形態の情報処理システムの一構成例を示す図である。
【図２】第１の実施形態の情報処理端末の一構成例を示すブロック図である。
【図３】第１の実施形態の情報処理端末の動作手順を示すフローチャートである。
【図４】第２の実施形態のメモリデバイスの一構成例を示す図である。
【符号の説明】
【００４９】
１、２    情報処理端末
１０    制御部
１４    記憶部
３０    ＵＳＢメモリデバイス
【図１】
2010061199.tif 000003
【図２】
2010061199.tif 000004
【図３】
2010061199.tif 000005
【図４】
2010061199.tif 000006